(57)【要約】【課題】他地域の番組情報を取得して視聴予約を行い、他地域の番組も視聴可能とする番組視聴装置を提供する。【解決手段】他地域の番組視聴装置との通信を行う通信手段と、自地域の番組情報を受信する番組情報受信手段と、番組を蓄積する番組蓄積手段と、前記通信手段が番組情報送信要求を受信した場合は前記番組情報受信手段が受信した前記自地域の番組情報を前記通信手段へ出力し、前記通信手段が所望の番組に対する番組予約要求を受信した場合は前記番組蓄積手段へ所望の前記番組を蓄積させ、前記通信手段が番組送信要求を受信した場合は前記番組蓄積手段が蓄積した前記番組を前記通信手段へ出力する制御手段とを具備する。【選択図】図１
2005340883.tif 000002
【特許請求の範囲】
【請求項１】
他地域の番組視聴装置との通信を行う通信手段と、自地域の番組情報を受信する番組情報受信手段と、番組を蓄積する番組蓄積手段と、前記通信手段が番組情報送信要求を受信した場合は前記番組情報受信手段が受信した前記自地域の番組情報を前記通信手段へ出力し、前記通信手段が所望の番組に対する番組予約要求を受信した場合は前記番組蓄積手段へ所望の前記番組を蓄積させ、前記通信手段が番組送信要求を受信した場合は前記番組蓄積手段が蓄積した前記番組を前記通信手段へ出力する制御手段と、を具備することを特徴とする番組視聴装置。
【請求項２】
前記他地域の番組視聴装置に関する情報である装置情報を記憶する情報記憶手段を更に備え、前記制御手段は、前記情報記憶手段が記憶した前記装置情報に基づいて、前記自地域の番組情報の出力、所望の前記番組の蓄積及び蓄積した前記番組の出力を判断することを特徴とする請求項１記載の番組視聴装置。
【発明の詳細な説明】
【技術分野】
【０００１】
本発明は、他地域の番組情報を受信し、他地域で放送されている番組を視聴可能な番組視聴装置に関する。
【背景技術】
【０００２】
従来、テレビジョン放送受信装置には、番組視聴を便利にするために、テレビ画面上に受信した番組情報を一覧表示して、希望番組を選択することで簡単に見たい番組を選局することができるＥＰＧ（Ｅｌｅｃｔｒｉｃ  Ｐｒｏｇｒａｍ  Ｇｕｉｄｅ）という機能がある（例えば、特許文献１参照）。
【特許文献１】特開平８−２５１１２２号公報
【発明の開示】
【発明が解決しようとする課題】
【０００３】
しかしながら、従来のＥＰＧ機能では、テレビジョン放送受信装置が設置された地域（自地域）以外の番組情報は取得できないため、放送として提供される全ての番組を確認した上で好みの番組を視聴したいというユーザの要求を満足させることができないという問題があった。
【０００４】
本発明は、上記事情に鑑みてなされたもので、他地域の番組情報を取得して視聴予約を行い、他地域の番組も視聴可能な番組視聴装置を提供することを目的とする。
【課題を解決するための手段】
【０００５】
本発明の請求項１に係る番組視聴装置は、他地域の番組視聴装置との通信を行う通信手段と、自地域の番組情報を受信する番組情報受信手段と、番組を蓄積する番組蓄積手段と、前記通信手段が番組情報送信要求を受信した場合は前記番組情報受信手段が受信した前記自地域の番組情報を前記通信手段へ出力し、前記通信手段が所望の番組に対する番組予約要求を受信した場合は前記番組蓄積手段へ所望の前記番組を蓄積させ、前記通信手段が番組送信要求を受信した場合は前記番組蓄積手段が蓄積した前記番組を前記通信手段へ出力する制御手段とを具備することを特徴とする。
【０００６】
また、本発明の請求項２に係る番組視聴装置は、請求項１の番組視聴装置の構成において、前記他地域の番組視聴装置に関する情報である装置情報を記憶する情報記憶手段を更に備え、前記制御手段は、前記情報記憶手段が記憶した前記装置情報に基づいて、前記自地域の番組情報の出力、所望の前記番組の蓄積及び蓄積した前記番組の出力を判断することを特徴とする。
【発明の効果】
【０００７】
本発明によれば、ユーザが指定した全ての地域の番組情報を取得し、全ての地域の番組を視聴することが可能となる。
【発明を実施するための最良の形態】
【０００８】
以下、本発明の実施の形態について、図面を参照しながら説明する。
【０００９】
（実施の形態１）
図１は、本発明の実施の形態１に係る番組視聴装置の構成を示すブロック図である。番組視聴装置は、番組情報受信部１０１と、通信制御部１０２と、制御部１０３と、情報記憶部１０４と、番組蓄積部１０５及び表示部１０６から構成される。
【００１０】
番組情報受信部１０１は、制御部１０３からの番組情報取得要求に基づいて、自地域の番組情報を受信する。番組情報は放送経由で受信しても良いし、ネットワーク経由で受信しても良い。通信制御部１０２は、他地域の番組視聴装置から番組情報送信要求、番組予約要求及び番組送信要求を受信する。そして、他地域の番組視聴装置へ自地域の番組情報及び蓄積番組を送信する。ここで、通信制御部１０２は、インターネット、公衆電話回線、有線通信、無線通信等の通信手段を介して通信を行う。
【００１１】
制御部１０３は、番組情報受信部１０１に対して番組情報取得要求を行い、取得した自地域の番組情報を番組蓄積部１０５へ記憶させる。通信制御部１０２から番組情報送信要求があった場合は、番組蓄積部１０５に記憶された自地域の番組情報を通信制御部１０２を介して他地域の番組視聴装置へ送信させる。また、通信制御部１０２から番組予約要求があった場合は、番組受信部（図示せず）に対して番組受信を開始させると共に、受信した番組を番組蓄積部１０５に蓄積させる。更に、通信制御部１０２から番組送信要求があった場合は、番組蓄積部１０５に蓄積された番組を通信制御部１０２を介して他地域の番組視聴装置へ送信させる。
【００１２】
情報記憶部１０４は、他地域の番組視聴装置の装置情報を予め記憶する。装置情報は、番組情報を送信可能な他地域の番組視聴装置を特定するための情報である。ここで、装置情報は、送信可能な番組情報のジャンル等を設定するためのキーワード情報を含んでいても良い。番組蓄積部１０５は、自地域／他地域の番組情報を記憶すると共に、視聴予約された番組を蓄積する。本実施の形態１では、番組蓄積部１０５へ視聴予約された番組を蓄積しているが、メモリカード等の可搬記憶媒体に蓄積させても、外部接続機器に蓄積させても良い。表示部１０６は、ユーザからの要求に基づいて、他地域の番組情報及び他地域の番組視聴装置から受信した蓄積番組を画面表示する。
【００１３】
次に、他地域の番組視聴装置に対し、自地域の番組情報及び蓄積番組を送信する処理について、図２を用いて説明する。ここで自地域を地域Ａとし、他地域を地域Ｂとして説明する。
【００１４】
まず、地域Ａの番組視聴装置は、地域Ａの番組情報を受信して記憶する（Ｓ２０１）。ここで、地域Ｂの番組視聴装置から番組情報送信要求があった場合であって（Ｓ２０２でＹＥＳ）、かつ地域Ｂの番組視聴装置が予め装置情報として記憶された番組視聴装置であると判断した場合（Ｓ２０３でＹＥＳ）、地域Ａの番組情報を地域Ｂの番組視聴装置へ送信する（Ｓ２０４）。
【００１５】
そして、地域Ｂの番組視聴装置から番組予約要求があった場合であって（Ｓ２０５でＹＥＳ）、かつ地域Ｂの番組視聴装置が予め装置情報として記憶された番組視聴装置であると判断した場合（Ｓ２０６でＹＥＳ）、予約された番組の蓄積を行う（Ｓ２０７）。
【００１６】
更に、地域Ｂの番組視聴装置から番組送信要求があった場合であって（Ｓ２０８でＹＥＳ）、かつ地域Ｂの番組視聴装置が予め装置情報として記憶された番組視聴装置であると判断した場合（Ｓ２０９でＹＥＳ）、地域Ａの番組視聴装置に蓄積した蓄積番組を地域Ｂの番組視聴装置へ送信する（Ｓ２１０）。
【００１７】
なお、本実施の形態１では、異なる地域に設置された番組視聴装置間で直接番組情報及び蓄積番組の送受信を行っているが、複数の番組視聴装置を一括管理する番組視聴サーバをネットワーク上に設置し、番組視聴装置間の情報送受信を全て番組情報サーバを介して行うようにしてもよい。
【００１８】
上記場合、番組視聴装置は、番組情報送信要求、番組予約要求及び番組送信要求を送信する際に送信先の番組視聴装置を指定することなく、番組情報を取得したい、あるいは番組を視聴したい地域を番組視聴サーバへ通知するだけで、所望の地域の番組情報及び番組を取得することができる。
【産業上の利用可能性】
【００１９】
本発明の番組視聴装置によれば、自地域で視聴不可能な番組を他地域の番組視聴装置と通信することにより視聴可能とすることができるため、通信機能と番組情報取得機能を装備した全てのＡＶ機器等で有効である。
【図面の簡単な説明】
【００２０】
【図１】本発明の実施の形態１における番組視聴装置の構成を示すブロック図
【図２】同実施の形態における処理を示すフローチャート
【符号の説明】
【００２１】
１０１    番組情報受信部
１０２    通信制御部
１０３    制御部
１０４    情報記憶部
１０５    番組蓄積部
１０６    表示部
【図１】
2005340883.tif 000003
【図２】
2005340883.tif 000004